(57)【要約】【課題】　外装容器の内部に収納された薄肉容器が変形しても外観上の美観を損うことのない二重容器を提供する。【解決手段】　本発明の二重容器100は、合成樹脂からなる薄肉のレフィル容器110と、このレフィル容器110の口部111に取り付けられるエアレスポンプ120と、このポンプ120を取り付けたレフィル容器110が内部に収納保持される透明又は不透明な外装容器130と、ポンプ120を露出した状態で外装容器130の口部131に固定されるカバー140からなり、レフィル容器110および外装容器130の相互間に不透明、半透明又は透明な筒状部材150を備える。この筒状部材150は、フィルムや紙などのシート材からなりその外側面に装飾を施したスリーブである。【選択図】　　　　図２
2004106940.tif 000002
【特許請求の範囲】
【請求項１】
　容器の変形によって減容可能な薄肉容器と、この薄肉容器を内部に収納する透明又は半透明な外装容器とを備える二重容器であって、
　前記薄肉容器と前記外装容器との相互間に、前記薄肉容器を内包する不透明、半透明又は透明な筒状部材を備えることを特徴とする二重容器。
【請求項２】
　前記筒状部材は、フィルムや紙などのシート材からなるものである請求項１に記載の二重容器。
【請求項３】
　前記筒状部材は、その外側面に装飾を施したものである請求項１または２に記載の二重容器。
【請求項４】
　前記外装容器は、その外側面に装飾を施したものである請求項１〜３の何れかに記載の二重容器。
【請求項５】
　前記外装容器及び薄肉容器はそれぞれポンプを取り付け可能な口部を有する請求項１〜４の何れかに記載の二重容器。
【発明の詳細な説明】
【技術分野】
【０００１】
　本発明は、容器の変形によって減容可能な薄肉容器と、この薄肉容器を内部に収納する透明又は半透明な外装容器とを備える二重容器に関するものである。
【背景技術】
【０００２】
　二重容器は、化粧水などの化粧料やシャンプーやリンスまたは液体石鹸などの内容物を外装容器の内部に収納した内容器に充填し、この内容器の口部に取り付けたポンプを操作することにより内容器の内容物を汲み上げる容器として用いられており、内容器として取り替えの自由な薄肉のレフィル容器を用いることは既知である。
【０００３】
　こうした薄肉のレフィル容器は、エアレスポンプで容器の内容物を汲み上げたり、手で押し潰すなどすると、その胴部が陥没して減容化を図ることができる。
【０００４】
　しかしながら、こうした薄肉容器を二重容器の内容器として使用する場合、薄肉容器の変形が外装容器を透して直接的に見えると外観上の美観が損なわれかねないことが懸念された。
【発明の開示】
【発明が解決しようとする課題】
【０００５】
　本発明の解決すべき課題は、上述した事実認識に基づいてなされたものであって、外装容器の内部に収納された薄肉容器が変形しても外観上の美観を損なうことのない二重容器を提供することにある。
【課題を解決するための手段】
【０００６】
　本発明は、容器の変形によって減容可能な薄肉容器と、この薄肉容器を内部に収納する透明又は半透明な外装容器とを備える二重容器であって、
　前記薄肉容器と前記外装容器との相互間に、前記薄肉容器を内包する不透明、半透明又は透明な筒状部材を備えることを特徴とする二重容器である。
【０００７】
　前記筒状部材は、フィルムや紙などのシート材からなるものが適用できる。
【０００８】
　前記筒状部材は、その外側面に装飾を施したものが、また、前記外装容器は、その外側面に装飾を施したものがとくに有利に適合する。上記外装容器及び薄肉容器はそれぞれポンプを取り付け可能な口部を有するものとする。
【発明の効果】
【０００９】
　本発明に係る二重容器にあっては、薄肉容器と外装容器との相互間に薄肉容器を内包する不透明、半透明又は透明（有色）な筒状部材を備えることから、薄肉容器が変形しても、透明又は半透明な外装容器から透かして見たとき、その変形が見えないか若しくは緩和された状態で見えることになり容器の美観が損なわれることはない。
【００１０】
　従って本発明によれば、薄肉容器と外装容器との相互間に薄肉容器を内包する不透明、半透明又は透明な筒状部材を備えることによって、透明又は半透明な外装容器の内部に収納された薄肉容器が変形しても外観上の美観を損なわない二重容器を提供することができる。
【００１１】
　また本発明にあっては、前記筒状部材がフィルムや紙などのシート材からなるものが好ましい。この場合、外観の美しい二重容器を簡単かつ安価に提供することができる。特に本発明にあっては、前記筒状部材がその外側面に装飾や色彩を施したものであることが好ましい。この場合、筒状部材に装飾や色彩を施すことよって外観上の美観をさらに向上させることができる。
【００１２】
　本発明においては、外装容器の装飾と筒状部材の装飾とを組み合わせることで外装容器を交換せずに内容器の変更のみで中身の異なるシリーズ製品の製造が可能となり外装容器の有効利用を図ることができる。
【発明を実施するための最良の形態】
【００１３】
　以下、本発明の実施の形態を添付図面に基づき詳細に説明する。
【００１４】
　図１および図２はそれぞれ、本発明の一実施形態であるポンプ付き二重容器１００を示す斜視図および二重容器１００の分解斜視図であり、また図３は、二重容器１００のＡ−Ａ断面図である。また、図４は本発明の他の実施形態であるポンプ付き二重容器１００を示す斜視図で、図５は図４に示した二重容器のＢ−Ｂ断面図である。
【００１５】
　二重容器１００は、図１，２に示す如く、運搬、保管および廃棄を考慮して陥没および復元可能な合成樹脂からなる薄肉のレフィル容器１１０と、このレフィル容器１１０の口部１１１に取り付けられるエアレスポンプ１２０と、このエアレスポンプ１２０を取り付けたレフィル容器１１０が内部に収納保持される合成樹脂製の透明又は半透明な外装容器１３０と、エアレスポンプ１２０を露出した状態で外装容器１３０の口部１３１に固定されるカバー１４０からなり、レフィル容器１１０および外装容器１３０の相互間に不透明、半透明又は透明な筒状部材１５０を備える。
【００１６】
　レフィル容器１１０は、図２に示す如く、その肩部１１２ａ付近に外装容器１３０に向かって張り出して外装容器１３０の口部端縁１３１ｅに設けた切り欠き部１３２にて保持される複数の突部１１３を備える。これにより、レフィル容器１１０は、外装容器１３０内に落下することなく保持される。
【００１７】
　エアレスポンプ１２０は、図２に示す如く、ポンプヘッド１２１の上下運動によってポンプ作用が惹起される定量ポンプであり、ポンプヘッド１２１を上下動させると、レフィル容器１１０の内容物が吸引、加圧されてポンプヘッド１２１に設けたノズル口１２１ａから吐出される。
【００１８】
　外装容器１３０は、図２に示す如く、その口部側面１３１ｆにキャップ１４０の内側に設けた後述のガイド突起１４３に適合する複数のガイド溝１３３を有する。これらのガイド溝１３３は、外容器１３０の口部端縁１３１ｅから延在する縦溝１３３ａおよび該溝１３３ａにつながり口部１３１周りに延在する横溝１３３ｂからなるＬ字状になっている。
【００１９】
　カバー１４０は、図２に示す如く、レフィル容器１１０に取り付けたエアレスポンプ１２０が開口１４１から露出した状態に配置されており、その内側には、内容器１１０に向かって張り出した内壁１４２および外装容器１３０の口部側面１３１ｆに向かって張り出した複数のガイド突起１４３が設けられている。
【００２０】
　これにより、二重容器１００は、レフィル容器１１０の突部１１３を外装容器１３０の切り欠き部１３２に適合させて内容器１１０を外装容器１３０の口部端縁１３１ｅにて保持したのち、キャップ１４０のガイド突起１４３を外装容器１３０のガイド溝１３３に入れ込んでキャップ１４０を外装容器１３０の口部１３１周りで回転させることによりバイヨネット結合させてレフィル容器１１０を外装容器１３０に対して位置決め固定する。
【００２１】
　これにより、レフィル容器１１０は、外装容器１３０に対する収納および取り出しの自由な詰め替え容器となる。
【００２２】
　なお外装容器１３０に設けたガイド溝１３３は、Ｌ字状のものに限らず、外装容器１３０の口部端縁１３１ｅから螺旋状に形成してなるもの、所謂、ねじ状のものであってもよいし、カバー１４０内側のガイド突起１４３をねじに置き換えてもよい。さらには、外装容器１３０とカバー１４０とはアンダーカット係合により着脱自在とすることができるが、この他、面タッチによる圧入を伴う嵌合により着脱自在することもでき、この点については限定されない。
【００２３】
　こうした二重容器１００において、レフィル容器１１０は、その胴部１１２ｂが陥没および復元可能な薄肉の袋状のものであり、エアレスポンプ１２０によってレフィル容器１１０の内容物を排出すると、エアレスポンプ１２０で気密性が確保されたレフィル容器１１０の内部圧力が減少するため、レフィル容器１１０の胴部１１２ｂが陥没して減容化を図ることができる。
【００２４】
　外装容器１３０が透明又は半透明である場合においてレフィル容器１１０の変形が外装容器１３０を透して見え、これが二重容器としての外観上の美観が損なわれるという不都合がある場合には、図２，３に示す如く、レフィル容器１１０と外装容器１３０との相互間に、レフィル容器１１０を内包する不透明、半透明又は透明な筒状部材１５０を配置するのがよい。筒状部材１５０は、合成樹脂からなる薄肉のスリーブであって、その外側面に印刷やラベルなどにより商品名や効能または色彩や模様などの装飾が施されている。
【００２５】
　即ち、二重容器１００にあっては、レフィル容器１１０と外装容器１３０との相互間にレフィル容器１１０を内包する不透明、半透明又は透明な筒状部材１５０を備えることから、エアレスポンプ１２０を動作させたことによって生じるレフィル容器１１０の変形が外装容器１３０を透して見たとき緩和されて透視することができる。
【００２６】
　本実施形態によれば、外装容器１３０とレフィル容器１１０との相互間にレフィル容器１１０を内包する不透明、半透明又は透明な筒状部材１５０を備えることによって、外装容器１３０の内部に収納された薄肉のレフィル容器１１０が変形しても外観上の美観を損なわない二重容器を提供することができる。
【００２７】
　なお本実施形態では、筒状部材１５０を合成樹脂からなる薄肉のスリーブで説明したが、このスリーブの材質は合成樹脂に限ることなく、フィルムや紙などのシート材からなるものであってもよい。また筒状部材１５０は、スリーブに限ることなく、フィルムや紙などのシート材を丸めてなるものであってもよい。筒状部材１５０がフィルムや紙などのシート材からなる場合、外観の美しい二重容器を簡単かつ安価に提供することができる。
【００２８】
　また筒状部材１５０は、その外側面に装飾を施すことなく使用することもできるが、本実施形態の如く、その外側面に印刷やラベル若しくは塗装などで商品名や効能または色彩や模様などの装飾を施した場合、外観上の美観をさらに向上させることができる。
【００２９】
　上述したところは、本発明の好適な実施形態を示したに過ぎず、当業者によれば、請求の範囲において、種々の変更を加えることができる。例えば、薄肉容器としてのレフィル容器１１０は、その内部圧力を高めることによって元の形状に復元できるものであるかどうは任意である。さらに薄肉容器としては、詰め替え可能なレフィル容器１１０に限らず外装容器１３０に取り外し不可能に収納された単なる減容容器であってもよい。
【００３０】
　図４、図５に本発明に従う二重容器の他の実施形態を示す。図４は容器の外観斜視図であり、図５は図４に示した二重容器１００のＢ−Ｂ断面図である。
【００３１】
　上掲図１〜３に示したところの二重容器は、キャップ１４０がエアレスポンプ１２０とレフィル容器１１０の肩部１１２ａの間に保持された構造となっており、レフィル容器１１０の取り替えに当たっては、キャップ１４０の取り外しと取り付け作業が必要になるが、図４、図５に示した構造のものは、キャップ１４０を単独で取り外し取り付けできる構造のもので、レフィル容器１１０の取り替えを簡便に行える利点がある。
【００３２】
　薄肉容器はアルミのフィルムを積層したパウチや合成樹脂のフィルムを袋状にしたものが使用できる。
【産業上の利用可能性】
【００３３】
　内容物の注出によって薄肉容器が変形してもその変形状況が見えないか若しくは緩和されて見えるので美観の損なわれない二重容器が提供できる。
【図面の簡単な説明】
【００３４】
【図１】本発明の一実施形態であるポンプ付き二重容器を示す斜視図である。
【図２】同実施形態における二重容器の分解斜視図である。
【図３】同実施形態における二重容器のＡ−Ａ断面図である。
【図４】本発明に従う二重容器の他の実施形態を示した外観斜視図である。
【図５】図４に示した二重容器のＢ−Ｂ断面図である。
【符号の説明】
【００３５】
１００　二重容器
１１０　レフィル容器（薄肉容器＝内容器）
１１１　口部
１１２ａ　肩部
１１２ｂ　胴部
１２０　エアレスポンプ
１３０　外装容器
１３１　口部
１４０　カバー（キャップ）
１５０　筒状部材
【図１】
2004106940.tif 000003
【図２】
2004106940.tif 000004
【図３】
2004106940.tif 000005
【図４】
2004106940.tif 000006
【図５】
2004106940.tif 000007